(57)【要約】      （修正有）【課題】握力測定ユニットにより握力の強さと体内の筋肉量を同時に検出する機能を備える検出機能を備えた握力測定装置を提供する。【解決手段】主に握力測定ユニットからなり、握力測定ユニット１は、第１支持部品１１と、第２支持部品１２と、弾性部品１３を備え、第１支持部品と第２支持部品は、弾性部品により互いに連結され、握力測定ユニットには複数の検出部品２と、回路部品３と、背筋力測定部品６と、電源部品５が設けられ、回路部品は電源部品と検出部品に互いに接続され、背筋力測定部品は、回路部品のデータに接続される。使用者が握力測定ユニットを握り、第１支持部品と第２支持部品を押すと、背筋力測定部品は加えられた力から握力を測定する。また、両手で検出部品に触れることで、回路部品が生成した検出電流が検出部品から体内に入った後、回路部品内に戻ることで体内の筋肉量が検出される。【選択図】図１
0003220932.tif 000002
【実用新案登録請求の範囲】
【請求項１】
握力測定ユニットと、複数の検出部品と、電源部品と、回路部品と、背筋力測定部品と、からなる検出機能を備えた握力測定装置であって、
前記握力測定ユニットは、第１支持部品と、第２支持部品と、弾性部品を備え、前記弾性部品の一端は、前記第１支持部品に連結され、前記弾性部品の他端は、前記第２支持部品に連結され、
前記複数の検出部品は、前記握力測定ユニット上に設けられ、
前記電源部品は、前記握力測定ユニット内に設けられ、
前記回路部品は、前記握力測定ユニットの中に設けられるとともに、前記複数の検出部品のデータに接続され、さらに、前記回路部品は、前記電源部品に電気的に接続されることで、前記電源部品からの電力により、検出電流が生成され、前記複数の検出部品に流れ、さらに、前記複数の検出部品は、人体を通過した後の検出電流を受信し、
前記背筋力測定部品は、前記握力測定ユニットの中に設けられるとともに、前記回路部品のデータに接続され、前記第１支持部品及び前記第２支持部品が相対的に移動する際に、移動時の力が測定されることを特徴とする検出機能を備えた握力測定装置。
【請求項２】
前記握力測定ユニットには表示部品が設けられ、前記表示部品は、前記回路部品のデータに接続されることを特徴とする、請求項１に記載の検出機能を備えた握力測定装置。
【請求項３】
前記握力測定ユニットには外部接続部が設けられ、前記外部接続部は、前記回路部品のデータに接続されることを特徴とする、請求項１に記載の検出機能を備えた握力測定装置。
【請求項４】
前記外部接続部は、電子機器のデータに接続されることを特徴とする、請求項３に記載の検出機能を備えた握力測定装置。
【請求項５】
前記握力測定ユニットには電源接続部が設けられ、前記電源接続部は、前記電源部品に電気的に接続されることを特徴とする、請求項１に記載の検出機能を備えた握力測定装置。
【請求項６】
前記電源接続部は、外部電源部品に接続されることを特徴とする、請求項５に記載の検出機能を備えた握力測定装置。
【請求項７】
前記回路部品は、前記検出電流により前記体内の筋肉量を検出することを特徴とする、請求項１に記載の検出機能を備えた握力測定装置。
【考案の詳細な説明】
【技術分野】
【０００１】
本考案は、検出機能を備えた握力測定装置に関し、特に複数の検出效果を備える握力測定ユニットからなる検出機能を備えた握力測定装置に関する。
【背景技術】
【０００２】
健康意識が高まるにつれて、人々は太っているか痩せているかだけでなく、体脂肪率と筋肉率についても徐々に気にするようになってきている。身長と体重が全く同じである２人であっても、体脂肪率と筋肉率が異なることで体形及び健康状態に違いが生じる。例えば、見た目は太っていなくても、体内の筋肉率が相当低いとともに脂肪率が高めである人の場合、健康状態は一般の人より悪くなる。
【０００３】
一般に、体脂肪率及び筋肉率の測定方法は、すべて体脂肪計によって測定される、つまり、体に電流を流すと、体内における脂肪、筋肉、骨、及び水の抵抗はすべて異なることにより、電流が体を流れる際の電気抵抗から体内における脂肪、筋肉、骨、及び水の各種割合を、推測することができる。しかしながら、現在市場に出回っている体脂肪計は、どれも体脂肪率及び筋肉率を測定することはできるが、同時にその他の測定機能を備えることができていない。
【考案の概要】
【考案が解決しようとする課題】
【０００４】
本考案は、背筋力測定部品を握力測定ユニットと組み合わせることにより握力の強さを検出するとともに、検出部品及び回路部品により体内の筋肉率を測定する検出機能を備えた握力測定装置を提供することを目的とする。
【課題を解決するための手段】
【０００５】
上述の目的を達成するため、本考案の主な構造は、握力測定ユニットと、握力測定ユニットに設けられる複数の検出部品と、握力測定ユニットの中に設けられる背筋力測定部品と、握力測定ユニットの中に設けられる回路部品と、握力測定ユニットの中に設けられる電源部品と、からなる。そのうち、握力測定ユニットは、第１支持部品と、第２支持部品と、弾性部品を備え、第１支持部品及び第２支持部品は、弾性部品によって互いに接続され、回路部品と、電源部品及び検出部品は、互いに接続され、背筋力測定部品は、第１支持部品と第２支持部品の間に設けられることで、第１支持部品及び第２支持部品が互いに移動する際にその背筋力を測定することができる。
【考案の効果】
【０００６】
上述の構造により、使用者が握力測定ユニットを握るとともに、第１支持部品及び第２支持部品を互いに引き離すと、引き離す力が背筋力測定部品に伝達されて背筋力が測定され、さらに、弾性部品により第１支持部品及び第２支持部品は反発する力を備えることで、握力を測定する效果が達成される。体内における筋肉量を測定したい場合、使用者が両手で検出部品に触れ、検出部品に人の手のひらが接触すると、回路部品は、電源部品からの電源により、検出電流を生成するとともに、検出部品の１つを介して電流を体に流し、さらに、別の検出部品を介して電流を回路部品内に戻すことができることで、回路部品と検出電流を組み合わせることで、体内の脂肪、骨、筋肉、及び水の割合を検出することができる。このようにして、握力測定ユニットに握力の測定に加えて体内の筋肉量を検出する二重の機能を備えさせることができる。
【図面の簡単な説明】
【０００７】
【図１】本考案の比較的好ましい実施例における斜視透視図である。
【図２】本考案の比較的好ましい実施例における引っ張った状態を示した図である。
【図３】本考案の比較的好ましい実施例における手が触れた状態を示した図である。
【図４】本考案の比較的好ましい実施例における電流が流れている状態を示した図である。
【図５】本考案の比較的好ましい実施例における表示を示した図である。
【図６】本考案の比較的好ましい実施例における作動の構造ブロック図である。
【図７】本考案の別の比較的好ましい実施例における斜視透視図である。
【図８】本考案の別の比較的好ましい実施例における充電を示した図である。
【図９】本考案のさらに別の比較的好ましい実施例における斜視透視図である。
【図１０】本考案のさらに別の比較的好ましい実施例における表示を示した図である。
【考案を実施するための形態】
【０００８】
参照する図１は、本考案の比較的好ましい実施例における斜視透視図であり、図から明らかな通り、本考案は、握力測定ユニット１と、複数の検出部品２と、回路部品３と、電源部品５と、表示部品４と、背筋力測定部品６と、からなる。
【０００９】
そのうち、握力測定ユニット１は、第１支持部品１１と、第２支持部品１２と、弾性部品１３を備え、第１支持部品１１は、本実施例において主にプラスチック材料であり、第２支持部品１２は、使用者が引っ張ることのできる伸縮棒であることができ、弾性部品１３はばねであり、背筋力測定部品６は、第１支持部品１１内に設けられるとともに、弾性部品１３の一端に互いに連結され、弾性部品１３の他端は、第２支持部品１２に連結され、背筋力測定部品６は、弾力性を備える検出部品であり、使用者が第２支持部品１２に力を加えると、力が弾性部品１３から背筋力測定部品６に伝達されることで、使用者が加えた力の強さが測定される。
【００１０】
検出部品２は、第１支持部品１１上に設けられ、使用者はそれぞれを両手で触れることができ、本実施例において、検出部品２は、導電金属片を備える棒体であり、回路部品３は、握力測定ユニット１の中に設けられるとともに、前記複数の検出部品２のデータに接続され、電源部品５もまた握力測定ユニット１の中に設けられるとともに、回路部品３に電気的に接続され、表示部品４は、第１支持部品１１上に設けられるとともに、回路部品３のデータに接続される。本実施例における回路部品３は、検出電流を生成することで体内の脂肪、骨、筋肉、及び水の割合を測定することができる回路板であるとともに、回路部品３は、背筋力測定部品６によって測定された背筋力の強さを数値化することができ、電源部品５は、回路部品３に電源を供給することのできる電池であり、表示部品４は、回路部品３の検出結果を表示することのできるスクリーンである。
【００１１】
上述の説明により、本技術の構造について理解することができるが、本構造を対応させて組み合わせることで、使用者が握力測定ユニット１によって握力を検出することができるとともに、回路部品３と検出部品２を組み合わせることで体内の筋肉率を検出することができる效果について、以下に詳細に説明する。
【００１２】
同時に組み合わせて参照する図１から図６は、本考案の比較的好ましい実施例における斜視透視図から作動の構造ブロック図である。上述の構成部品を組み立てると、図から明らかな通り、使用者は、まず握力測定ユニット１を握るとともに、手で第１支持部品１１及び第２支持部品１２を動かして互いに移動させる。第１支持部品１１及び第２支持部品１２が互いに離れると、弾性部品１３は引っ張られるとともに、移動する力が背筋力測定部品６に伝達される（この測定方法は、背筋力測定部品６を屈曲させるとともに、屈曲した角度から背筋力の強さを検出するが、測定方法はこの方法に制限されることはなく、他の測定方法を用いることもできる）。この時、背筋力測定部品６は、背筋力の強さを判断するとともに、それを回路部品３に伝達し、回路部品３は、背筋力の強さを数値化するとともに表示部品４に表示する（例として、握力ＸＸＫｇ）。測定が完了すると、弾性部品１３の弾性によって、第１支持部品１１及び第２支持部品１２は、互いに近づいて元の位置に戻り、背筋力測定部品６を握力測定ユニット１に組み合わせることで使用者の握力を測定することができる。
【００１３】
使用者が体内の筋肉量を測定したい場合、両手で各検出部品２にそれぞれ触れる。回路部品３は、通常、電源部品５からの電源によって微弱な検出電流を生成し、検出部品２には、回路部品３からの検出電流が流れ、使用者が検出部品２に触れると、検出部品２と人体には、１つの回路が形成されることで、検出電流は、検出部品２の１つを介して使用者の体内に流れるとともに、人体を通過した後、さらに、別の検出部品２を介して回路部品３に戻る。体内の脂肪、筋肉、骨、及び水の抵抗はすべて異なるため（例えば、脂肪は比較的電気を通しにくいが、筋肉及び水は比較的電気を通しやすい）、検出電流が体内の脂肪、筋肉、骨、及び水を通過する際に生じる電気抵抗は異なる。回路部品３は、検出電流が体内を通過した際に生じる電気抵抗から脂肪、筋肉、骨、及び水の割合を算出するが、その計算方式は従来の体脂肪計の技術と同じである。回路部品３が筋肉量を算出すると、数値が表示部品４に表示されることで（例として、筋肉量ＸＸ％）、握力測定ユニット１は、使用者の握力を測定することができるだけでなく、体内の筋肉量を検出する機能を備えることができる。
【００１４】
さらに、同時に組み合わせて参照する図７及び図８は、本考案の別の比較的好ましい実施例における斜視透視図及び充電を示した図であり、図から明らかな通り、本実施例と上述の実施例は、ほぼ同じであるが、握力測定ユニット１ａには、電源接続部１４ａが設けられる。前記電源接続部１４ａは、電源部品５ａに電気的に接続されるとともに、電源接続部１４ａは、外部電源部品１４１ａに接続することができる。本実施例の電源接続部１４ａは、従来の電源プラグであり、外部電源部品１４１ａは、充電設備またはコンセントに接続することのできる電源コードであることで、電源接続部１４ａを外部電源部品１４１ａに組み合わせることで電源部品５ａに電源を補充または供給することができる。
【００１５】
さらに、同時に組み合わせて参照する図９及び図１０は、本考案のさらに別の比較的好ましい実施例における斜視透視図及び表示を示した図であり、図から明らかな通り、本実施例と上述の実施例は、ほぼ同じであるが、前記握力測定ユニット１ｂには、外部接続部１５ｂが設けられ、前記外部接続部１５ｂは、回路部品３ｂのデータに接続されるとともに、外部接続部１５ｂは、電子機器１５１ｂに接続することができる。電子機器１５１ｂは、電子表示装置、タブレット、または、携帯電話であり、これらに制限されない。回路部品３ｂによって検出された筋肉率は、電子機器１５１ｂに表示され、本実施例では、外部接続部１５ｂは、ＵＳＢコネクタを例として使用しているとともに、ＵＳＢコネクタによって電子表示装置に接続される。
【００１６】
よって、本考案の検出機能を備えた握力測定装置が改善することのできる主な従来技術は、以下の通りである。
【００１７】
一、使用者は、握力測定ユニット１を背筋力測定部品６に組み合わせることで使用者の握力の強さを測定することができる。
【００１８】
二、同時に、使用者は、検出部品２によって体内の筋肉量を測定することもできることで、二重の機能を備える效果が達成される。
【符号の説明】
【００１９】
１、１ａ、１ｂ  握力測定ユニット
１１      第１支持部品
１２      第２支持部品
１３      弾性部品
１４ａ    電源接続部
１４１ａ  外部電源部品
１５ｂ    外部接続部
１５１ｂ  電子機器
２        検出部品
３、３ｂ  回路部品
４        表示部品
５、５ａ  電源部品
６        背筋力測定部品
【図１】
0003220932.tif 000003
【図２】
0003220932.tif 000004
【図３】
0003220932.tif 000005
【図４】
0003220932.tif 000006
【図５】
0003220932.tif 000007
【図６】
0003220932.tif 000008
【図７】
0003220932.tif 000009
【図８】
0003220932.tif 000010
【図９】
0003220932.tif 000011
【図１０】
0003220932.tif 000012